(57)【特許請求の範囲】
【請求項１】
カセットに積載された媒体をフィードローラで繰り出し、繰り出された媒体をセパレータによりフィードローラに押し付け、反転ガイドにより媒体を反転させて媒体走行路に繰り出す際に、媒体ガイドによって、媒体をガイドして媒体走行路に繰り出す媒体繰り出し機構において、
前記媒体ガイドを、前記セパレータよりも媒体繰り出し方向下流に位置させると共に、フィードローラにおける媒体接触領域の、回転中心軸に沿った延長領域内で、前記フィードローラの媒体接触面よりもフィードローラの回転中心方向に向かって突出させたことを特徴とする媒体繰り出し機構。
【請求項２】
上記媒体ガイドは、フィードローラの両側で、媒体の全幅に渡ってフィードローラの回転中心方向に突出させる請求項１記載の媒体繰り出し機構。
【発明の詳細な説明】
【０００１】
【産業上の利用分野】
本発明は、媒体をカセットから繰り出して装置内に給送する媒体繰出し機構に関する。
【０００２】
【従来の技術】
従来、電子写真記録装置等の記録装置においては、カセットに積載されている媒体としての単票用紙を反転させてから媒体搬送路に繰り出す場合、まず、フィ−ドロ−ラの回転により単票用紙をカセットから１枚繰り出す。すると、フィ−ドロ−ラ周傍に設けられ、付勢手段によりフィ−ドロ−ラへ付勢されているセパレ−タとフィ−ドロ−ラとの間に単票用紙は搬送され、セパレ−タが単票用紙をフィ−ドロ−ラに押し付ける。
【０００３】
更に単票用紙を繰り出すと、単票用紙はセパレ−タよりも媒体繰出し方向下流に設けられた用紙ガイドまで繰り出され、用紙ガイドにより単票用紙の先端部がフィ−ドロ−ラ周傍に設けられた反転ガイドに向けられる。そして、反転ガイドまで繰り出されると、先端部が反転ガイドに沿って搬送され、そこで単票用紙は反転され、媒体搬送路に繰り出される。
【０００４】
なお、単票用紙の搬送は、単票用紙がカセットから繰り出される時のフィ−ドロ−ラと単票用紙との摩擦力と、単票用紙がセパレ−タによりフィ−ドロ−ラに押し付けられて、フィ−ドロ−ラと単票用紙との間で発生する摩擦力との２箇所の摩擦力によって行われている。
【０００５】
なお、セパレ−タ部における摩擦力については、フィ−ドロ−ラと単票用紙との摩擦係数を「μ１」、最上位の単票用紙と、最上位の単票用紙と共に繰り出された２番目の単票用紙との摩擦係数を「μ２」、セパレ−タと２番目の単票用紙との摩擦係数を「μ３」とすると、「μ１」、「μ２」、「μ３」の間には以下に示す数式１が成り立つ。
【０００６】
μ１＞μ３＞μ２・・・（１）
上記数式１のようになっているので、セパレ−タ部での単票用紙の搬送力が発生する。
【０００７】
【発明が解決しようとする課題】
上記従来の媒体繰出し機構においては、腰の強い単票用紙を媒体搬送路に繰り出そうとすると、単票用紙の先端部が反転ガイドまで繰り出され、単票用紙の先端部が反転ガイドに当接した際に、単票用紙の先端部に負荷がかかり、単票用紙の先端部の搬送がそこで停止してしまう場合があった。
【０００８】
単票用紙の先端部の搬送が停止してしまっても、フィ−ドロ−ラにより単票用紙は搬送され続けているので、単票用紙のセパレ−タに対応する部分がセパレ−タからの付勢力に抗して大きく膨らむ。すると、膨らんだ部分がフィ−ドロ−ラから離れてしまうので、その分、フィ−ドロ−ラと単票用紙との接触圧が低下し、セパレ−タ部でのフィ−ドロ−ラの媒体搬送力は極端に減少する。
【０００９】
すると、単票用紙を搬送する摩擦力は、単票用紙がカセットから繰り出される時のフィ−ドロ−ラと単票用紙との摩擦力のみになってしまい、フィ−ドロ−ラの媒体搬送力は極端に低下し、フィ−ドロ−ラと単票用紙との間で滑りが発生してしまう。その結果、単票用紙を媒体走行路に繰り出すことができなくなるという問題点があった。
【００１０】
一方、表面の滑らかなすなわち表面平滑度の高い単票用紙を媒体搬送路に繰り出そうとすると、単票用紙がカセットから繰り出される時のフィ−ドロ−ラと単票用紙との摩擦力と、単票用紙がセパレ−タによりフィ−ドロ−ラに押し付けられて、フィ−ドロ−ラと単票用紙との間で発生する摩擦力とが小さいので、フィ−ドロ−ラと単票用紙との間に滑りが生じ、単票用紙を繰り出すことができないという問題点があった。
【００１１】
上記問題点を解決するために、フィ−ドロ−ラに一定の押圧力で押し付けられ、フィ−ドロ−ラと共に回転する補助ロ−ラを設け、単票用紙をフィ−ドロ−ラに押し付けて、フィ−ドロ−ラの媒体搬送力を高める手段がある。
【００１２】
しかし、補助ロ−ラおよび、補助ロ−ラに押圧力を与えその状態を保持する付勢手段、更には、それらを取り付ける工具等を必要とするので、機構が複雑になり、その結果、コスト高となってしまうという問題点があった。
【００１３】
【課題を解決するための手段】
上記課題を解決するために本発明で設けた手段は、カセットに積載された媒体をフィードローラで繰り出し、繰り出された媒体をセパレータによりフィードローラに押し付け、反転ガイドにより媒体を反転させて媒体走行路に繰り出す際に、媒体ガイドによって、媒体をガイドして媒体走行路に繰り出す媒体繰り出し機構において、
前記媒体ガイドを、前記セパレータよりも媒体繰り出し方向下流に位置させると共に、フィードローラにおける媒体接触領域の、回転中心軸に沿った延長領域内で、前記フィードローラの媒体接触面よりもフィードローラの回転中心方向に向かって突出させたことを特徴とするものである。
【００１４】
【作用】
フィ−ドロ−ラの回転により媒体がカセットから１枚繰り出される。すると、媒体はセパレ−タによりフィ−ドロ−ラに押し付けられ、媒体ガイドによりガイドされる。このとき、媒体ガイドがフィ−ドロ−ラの回転中心方向に向かって突出しているので、フィ−ドロ−ラに対応している部分を除き、媒体ガイドの突出している分だけ媒体は湾曲する。すると、媒体のフィ−ドロ−ラに対応する部分は、媒体の反力によりフィ−ドロ−ラに押し付けられることになり、そこで新たにフィ−ドロ−ラと媒体との間に摩擦力が発生し、フィ−ドロ−ラの媒体搬送力が増加する。
【００１５】
従って、表面平滑度の高い媒体であっても、フィ−ドロ−ラと媒体との間に滑りが生じない。
【００１６】
また、腰の強い媒体も同様に、フィ−ドロ−ラに押し付けられることになるので、フィ−ドロ−ラの媒体搬送力が増加する。
【００１７】
そして、腰の強い媒体の先端部が反転ガイドまで至り、反転ガイドに当接して、その負荷によりフィ−ドロ−ラの媒体搬送力が低下し、その結果、媒体のセパレ−タに対応する部分が膨らもうとしても、媒体ガイドの突出部が媒体の膨らもうとする力を押さえ込むので、媒体に膨らみは発生しない。
【００１８】
従って、フィ−ドロ−ラの媒体搬送力の増加と、媒体ガイドによる媒体の膨らみ防止とにより、フィ−ドロ−ラと媒体との接触圧が低下しないので、フィ−ドロ−ラと媒体との間に滑りが生じない。
【００１９】
【実施例】
本発明の実施例について図面を参照しながら説明する。なお、各図面に共通な要素には同一の符号を付す。
図１は本発明に係る一実施例の媒体繰出し機構の構造を示す説明図、図２は一実施例の媒体繰出し機構を示す説明図である。なお、図２は図１を矢印Ｂ方向から見た図であり、また、反転ガイド８は省略してある。
【００２０】
図１、図２において、記録装置である電子写真記録装置に設けられた図示せぬ媒体走行路には、カセット１に積載されている媒体としての単票用紙２が媒体繰出し機構３により１枚ずつ繰り出される。
【００２１】
カセット１内部には、用紙積載板１０が押しバネ９によりフィ−ドロ−ラ４方向へ付勢された状態で設けられており、この用紙積載板１０に、単票用紙２が積載される。
【００２２】
カセット１に積載されている単票用紙２は、押しバネ９の付勢力により、電子写真記録装置に設けられたシャフト５に取り付けられたフィ−ドロ−ラ４に押し付けられ、駆動源からの駆動によるフィ−ドロ−ラ４の回転によって最上位の単票用紙２のみが分離され、電子写真記録装置の媒体走行路方向に繰り出される。
【００２３】
カセット１近傍であってフィ−ドロ−ラ４周面には、図示せぬ付勢手段によりフィ−ドロ−ラ４に押し付けられているセパレ−タ６が設けられており、このセパレ−タ６により、単票用紙２が複数枚カセット１から媒体走行路に繰り出されてしまうことを防止している。
【００２４】
セパレ−タ６よりも媒体繰出し方向下流であって、フィ−ドロ−ラ４の両側に、複数の媒体ガイド７が設けられており、媒体ガイド７により、単票用紙２の先端部は後述する反転ガイド８へガイドされる。なお、この媒体ガイド７は図２に示すように、フィ−ドロ−ラ４の媒体接触面４ａよりもフィ−ドロ−ラ４の回転中心方向に向かって突出している。
【００２５】
媒体ガイド７よりも媒体繰出し方向下流であって、フィ−ドロ−ラ４の周傍には、単票用紙２を反転させる反転ガイド８が設けられている。そして、反転ガイド８の更に媒体繰出し方向下流は、図示せぬ媒体走行路となっている。
【００２６】
なお、フィ−ドロ−ラ４と、セパレ−タ６と、媒体ガイド７と、反転ガイド８とにより媒体繰出し機構３が構成されている。
【００２７】
また、例えば、フィ−ドロ−ラ４の回転中心から反転ガイド８までの距離を２２ｍｍ、フィ−ドロ−ラ４の直径を３６ｍｍとすると、媒体ガイド７のフィ−ドロ−ラ４の媒体接触面４ａからフィ−ドロ−ラ４の回転中心方向に向かって突出している量をＸ、フィ−ドロ−ラ４の側面４ｂからフィ−ドロ−ラの側面４ｂの最も近傍に設けられた媒体ガイド７までの距離をＹとすると、以下の数式２で示す比率でＸとＹの値を設定することが最適値である。
【００２８】
Ｙ／Ｘ＝４０／１・・・（２）
次に上記構成における媒体繰出し動作について説明する。
図１において、フィ−ドロ−ラ４が矢印Ａ方向に回転を始めると、カセット１に積載された単票用紙２の最上位の１枚あるいは上位の数枚がカセット１からフィ−ドロ−ラ４とセパレ−タ６の間に繰り出される。セパレ−タ６は図示せぬ付勢手段により一定の押圧力でフィ−ドロ−ラ４に押し付けられているので、フィ−ドロ−ラ４と最上位の単票用紙２との間にはさらに摩擦力が発生し、これにより、最上位の１枚と共に繰り出された上位の単票用紙２はそれ以上媒体繰出し方向下流には繰り出されなくなる。
【００２９】
最上位の単票用紙２が、媒体ガイド７まで繰り出されると、図２に示すように、媒体ガイド７がフィ−ドロ−ラ４の回転中心方向に向かって突出している形状となっているので、単票用紙２の媒体ガイド７に対応する部分は、上記Ｘ分湾曲する。媒体ガイド７はフィ−ドロ−ラ４の両側に設けられているので、媒体ガイド７の作用がなく、単票用紙２のフィ−ドロ−ラ４の媒体接触面４ａに接触している部分は、単票用紙２の反力によってフィ−ドロ−ラ４に押し付けられることになる。その結果、新たにフィ−ドロ−ラ４と単票用紙２との間に摩擦力が発生し、フィ−ドロ−ラ４の媒体搬送力が増加する。
【００３０】
単票用紙２が更にカセット１から繰り出されると、媒体ガイド７にガイドされ、先端部が反転ガイド８へガイドされる。ここで、単票用紙２の先端部は反転ガイド８に当接しながらフィ−ドロ−ラ４の媒体搬送力によって搬送されるが、ここで、単票用紙２の腰が強いと、単票用紙２の先端部に矢印Ｃ方向への負荷がかかり、単票用紙２の先端部の搬送がそこで停止しそうになる。
【００３１】
単票用紙２の先端部の搬送が停止しそうになると、フイ−ドロ−ラ４により単票用紙２は搬送され続けているので、単票用紙２のセパレ−タ６に対応する部分が膨らもうとする。しかし、単票用紙２のフィ−ドロ−ラ４の媒体接触面４ａに接触している部分は、媒体ガイド７によりフィ−ドロ−ラ４に押し付けられているので、フィ−ドロ−ラ４の媒体搬送力が強くなっている。それ故、単票用紙２の先端部にかかっている負荷に打ち勝って、フィ−ドロ−ラ４は、単票用紙２を媒体走行路へ繰り出すことができる。また、単票用紙２のセパレ−タ６に対応する部分が膨らもうとしても、媒体ガイド７によって押さえ込まれるので、単票用紙２の膨らみは防止される。以上媒体ガイド７の２つの作用により、単票用紙２のフィ−ドロ−ラ４との接触圧の低下は防止されるので、セパレ−タ６付近でのフィ−ドロ−ラ４の媒体搬送力は低下しない。
【００３２】
従って、単票用紙２は、単票用紙２がカセット１から繰り出される時のフィ−ドロ−ラ４と単票用紙２との摩擦力と、単票用紙２がセパレ−タ６によりフィ−ドロ−ラ４に押し付けられて、フィ−ドロ−ラ４と単票用紙２との間で発生する摩擦力との２箇所の摩擦力で搬送されることになるので、腰の強い単票用紙２であっても、媒体走行路に繰り出すことができる。
【００３３】
一方、摩擦係数の小さい、すなわち表面平滑度の高い単票用紙２を媒体走行路に繰り出す場合であっても、媒体ガイド７により、単票用紙２のフィ−ドロ−ラ４の媒体接触面４ａに接触している部分は、単票用紙２の反力によってフィ−ドロ−ラ４に押し付けられることになり、新たに発生するフィ−ドロ−ラ４と単票用紙２との間の摩擦力によってフィ−ドロ−ラ４の媒体搬送力が増加するので、フィ−ドロ−ラ４と単票用紙２との間に滑りは発生しない。その結果、表面平滑度の高い単票用紙２であっても、媒体走行路に繰り出すことができる。
【００３４】
また、媒体ガイド７を単票用紙２の全幅に渡って設けることにより、腰の強い単票用紙２に対して、更にフィ−ドロ−ラ４の媒体搬送力を高めることができる
【００３５】
。
【発明の効果】
本発明は、以上説明したように構成されているので以下に記載される効果を奏する。
媒体ガイドを、フィ−ドロ−ラの両側でフィ−ドロ−ラの回転中心方向に向かって突出させたことにより、フィ−ドロ−ラの媒体搬送力が、媒体の湾曲による反力に比例して増加する。従って、フィ−ドロ−ラと媒体との滑りを防止することができるので、表面平滑度の高い媒体であっても、媒体走行路に繰り出すことができる。
【００３６】
一方、媒体ガイドを通過した後の媒体先端部の負荷は媒体の腰の強さに比例して大きくなるが、媒体ガイドにより媒体が湾曲されるのでフィ−ドロ−ラと媒体との接触圧が増加してフィ−ドロ−ラの搬送力が大きくなる。その結果、負荷に打ち勝って、フィ−ドロ−ラは媒体を搬送することができる。
【００３７】
また、媒体ガイドによって媒体が押さえ込まれるので、媒体が膨らむことがなく媒体の膨らみによりセパレ−タがフィ−ドロ−ラから離反することがない。従って、媒体ガイドによる媒体の膨らみの防止と、フィ−ドロ−ラの搬送力の増加とにより、腰の強い媒体であっても、媒体走行路に繰り出すことができる。
【図面の簡単な説明】
【図１】本発明に係る一実施例の媒体繰出し機構の構造を示す説明図である。
【図２】一実施例の媒体繰出し機構の構造を示す説明図である。
【符号の説明】
１  カセット
２  単票用紙
３  媒体繰出し機構
４  フィ−ドロ−ラ
６  セパレ−タ
７  媒体ガイド
【図１】
0003784426.tif 000002
【図２】
0003784426.tif 000003